【事件の表示】
　上記当事者間の登録第５１７０９５８号商標の登録取消審判事件について、次のとおり審決する。
【結　論】
　登録第５１７０９５８号商標の商標登録は取り消す。
　審判費用は、被請求人の負担とする。
【理　由】
１　本件商標
　登録第５１７０９５８号商標（以下「本件商標」という。）は、「ＲＡＧＧＡＺＺＡ」の文字を標準文字で表してなり、平成２０年３月３日に登録出願、第２５類「被服，履物」を指定商品として、同年１０月３日に設定登録されたものである。
　　
２　請求人の主張
　請求人は、結論と同旨の審決を求め、その理由及び答弁に対する弁駁の理由を次のように述べ、証拠方法として、甲第１号証ないし甲第７号証（枝番を含む。）を提出した。
（１）請求の理由
　ア　本件商標は、その指定商品について、継続して３年以上日本国内において商標権者、専用使用権者又は通常使用権者のいずれも使用した事実が存しないから、商標法第５０条第１項により、取り消されるべきものである。
　イ　取消原因
　請求人の調査によれば、被請求人は、標章「ＲＡＧＧＡＺＺＡ」を使用することなく、これを「ＲＡＧＡＺＺＡ」に変えて使用しているだけである。「ＲＡＧＡＺＺＡ」の語は、そもそも基本的なイタリア語であり、ファッション業界で普通に用いられる語で、「少女、若い女性、娘さん」を意味する（「５カ国語新ファッション用語集」伊藤忠ファッションシステム著、株式会社チャネラー発行。これを甲第１号証とし、その表紙、凡例、単語索引、単語該当頁、奥付けをそれぞれ、甲第１号証の１、同号証の２、同号証の３、同号証の４、同号証の５とする。）。請求人は、この「ＲＡＧＡＺＺＡ」を「女性用サンダル」に品質あるいは用途を示すものとして使用していたところ、被請求人より本件商標権を侵害するものとして、通知書（甲第２号証）を受け取った。
　ファッション業界で当たり前のようにして使用される「ＲＡＧＡＺＺＡ」の語を「Ｇ」をダブらせて商標登録し、自身はこの登録商標「ＲＡＧＧＡＺＺＡ」ではなく「ＲＡＧＧＡＺＺＡ」とは同一性の範囲内にもない「ＲＡＧＡＺＺＡ」を使用した上で、他人の「ＲＡＧＡＺＺＡ」の使用を禁止しようとする商標権者の態度は、本件商標の指定商品の業界における取引秩序をいたずらに混乱させるものである。
（２）弁駁の理由
　被請求人は、文字の一部を図案化した欧文文字、具体的には、「ＲＡＧＡＺＺＡ」と記載され、この文字のうち「Ｇ」の上部に「Ｇ」がダブって記載されている使用をもって、本件商標の使用事実があったと主張している。
　しかしながら、使用商標は、その外観からみても、使用商標が使用されている状況からみても、さらには、被請求人の意図からみても、本件商標「ＲＡＧＧＡＺＺＡ」ではなく、「ＲＡＧＡＺＺＡ」と認識されるものである。
　そして、本件商標は、被請求人の造語で、本来具体的な観念を全く持たないのに対し、使用商標から認識される「ＲＡＧＡＺＺＡ」は、「少女、あるいは娘」を意味する基本的なイタリア語で、ファッション業界においても商品の特性や用途を示すものとして現実に使用される語であり、「ＲＡＧＡＺＺＡ」から、造語である「ＲＡＧＧＡＺＺＡ」を想起することはあり得ず、当然「少女、あるいは娘」を意味する基本的なイタリア語が想起され、これらは観念上全く異なる。
　このように、使用商標の外観の著しい相違、具体的な使用状況、被請求人の意図、及び観念の相違からして、使用商標は、本件商標と社会通念上同一性の範囲にある商標とはいえない。
　よって、使用商標の使用は、本件商標の使用を立証するものではない。
　　
３　被請求人の答弁
　被請求人は、本件審判の請求は成り立たない、審判費用は請求人の負担とするとの審決を求めると答弁し、その理由を次のように述べ、証拠方法として、乙第１号証ないし乙第４号証を提出した。
（１）請求人は、本件商標が、その指定商品について、継続して３年以上日本国内において商標権者、専用使用権者又は通常使用権者のいずれも使用した事実が存しないから、商標法第５０条第１項第１号により、取り消されるべきものであると主張している。
　しかし、被請求人は、以下に述べる理由により、請求人の主張を到底認めることができないものである。
（２）被請求人は、本件商標を被請求人の所有する靴のブランドの１つとして、雑誌媒体等を通してアピールしてきた。
　乙第１号証の雑誌「ＶｉＶｉ」２０１０年７月号（２０１０年５月２３日発売）には、靴の広告が記載されており、そこには本件商標「ＲＡＧＧＡＺＺＡ」が靴のブランドを示すものとして表記されており、ここには、「Ｒ」の文字の下に、「ＲＡＧＧＡＺＺＡ」と「Ｇ」を重ねて表記したものが記載されており、本件商標であることが認識できる。
　また、乙第２号証の雑誌「ＶｉＶｉ」２０１１年４月号（２０１１年２月２２日発売）にも同様に、靴の広告の中に「Ｒ」の文字の下に、「ＲＡＧＧＡＺＺＡ」と「Ｇ」を重ねて表記したものが記載されており、乙第３号証の雑誌「ＶｉＶｉ」２０１１年７月号（２０１１年５月２３日発売）には、靴の広告の中に「ＲＡＧＧＡＺＺＡ」と「Ｇ」を重ねて表記したものが大きく記載されており、本件商標であることは十分に認識できる。
　さらに、被請求人は、乙第１号証の雑誌「ＶｉＶｉ」２０１０年７月号（２０１０年５月２３日発売）の後、取引先等に、乙第４号証の「『ＶｉＶｉ』２０１０年７月号掲載商品リスト」を配布しており、表紙には、「Ｒ」の文字の下に、「ＲＡＧＧＡＺＺＡ」と「Ｇ」を重ねて表記したものが記載されており、本件商標「ＲＡＧＧＡＺＺＡ」が記載されていることが認識できる。また、乙第４号証のほかの頁には靴の一覧と共に「ラガッツア事業部」と記載されており、靴を取り扱う「ラガッツア事業部」のブランド名として本件商標を用いていることは明らかである。
　このように、被請求人は、雑誌「ＶｉＶｉ」を中心に、本件商標を被請求人の所有する靴のブランドの１つとして継続してアピールを行っていることから、商標権者である被請求人は、少なくとも２０１０年５月以降、２年以上にわたり、本件商標を継続して使用している状態にあることは明らかである。
　　　
４　当審の判断
（１）被請求人提出の証拠によれば、以下の事実が認められる。
　ア　平成２３年７月１日発行の雑誌「ＶｉＶｉ」（乙第３号証）には、「靴」についての広告が掲載されている。そして、当該広告には、別掲に示すとおりの構成態様からなる標章（以下「使用商標」という。）が表示されている。
　イ　雑誌「ＶｉＶｉ」の２０１０年７月号（乙第１号証）及び雑誌「ＶｉＶｉ」の２０１１年４月号（乙第２号証）にも、上記アと同様に、使用商標が表示した「靴」についての広告が掲載されたと認められる。
　ウ　「ＶｉＶｉ　２０１０年７月号（５月２３日発売）掲載商品リスト」（乙第４号証）には、被請求人に係る商品（靴）各種の詳細が実物写真とともに掲載されており、当該「掲載商品リスト」の表紙には、使用商標が表示されている。
　なお、当該リストの作成時期、配布したとする配布先や時期等については明らかではない。
（２）本件商標は、「ＲＡＧＧＡＺＺＡ」の文字を横書きにしてなるものであり、その構成各文字は、書体や大きさを同じにし、それらを等間隔で表示するものである。
　これに対し、上記（１）で示された使用商標は、別掲に示すとおりの構成態様からなるものである。また、当該使用商標は、同一の色彩及び同一の書体で表された「ＲＡ」と「ＡＺＺＡ」の文字の間に、赤色の「Ｇ」を右肩下がりに傾斜させ、その「Ｇ」の上部で、左に傾斜した灰色の「Ｇ」を鎖状に連鎖させたものを配した標章である。
　そして、使用商標は、本件審判の請求の登録前３年以内の時期に発行された印刷物（雑誌）に掲載された被請求人の業務に係る商品「靴」についての広告に表示されたと認められるものである。
　しかしながら、上記（１）で示された使用商標は、「ＲＡ」と「ＡＺＺＡ」の中間部に２つの「Ｇ」をもって表された部分を有するけれども、その２つの「Ｇ」の部分で、各「Ｇ」を左右に向きを変えて傾斜させた点、傾斜させたにとどまらずに２つの「Ｇ」を連鎖させた点、さらにはほかの構成各文字とは色彩を違えて表した点で、２つの「Ｇ」がほかの構成文字と同じ態様で羅列された本件商標とは、表示態様が全く異なるといわざるを得ないものである。
　そうとすると、使用商標は、看者をして、構成文字の一部「ＧＧ」を図案化したものと認識されるものであって、「ＲＡＧＧＡＺＺＡ」の文字を端的に表した標章として看取されるものとはいい難く、むしろ、上記中間部に２つの「Ｇ」のモノグラム風の標章が表されたものとして受けとめられるというのが相当である。
　してみれば、使用商標と本件商標とは、その構成及び態様を異にするといわざるを得ないものであるから、使用商標は、本件商標の有する独自の識別性と同一のものとは認め難いものであって、書体のみに変更を加えた本件商標と同一の文字からなる商標とはいえない。
　したがって、上記使用商標をもって、本件商標と社会通念上同一の商標であると認めることはできないものである。
（３）以上のとおり、被請求人提出の証拠によっては、本件審判の請求の登録前３年以内に、商標権者、専用使用権者又は通常使用権者のいずれもが、取消請求に係る指定商品について本件商標の使用をしたと認めることはできないものである。
　その他、本件商標について使用の事実を示す証拠はなく、また、本件商標の不使用に係る正当理由についての主張及び立証はない。
　したがって、本件商標は、商標法第５０条の規定に基づき、その登録の取消しを免れないものである。
　よって、結論のとおり審決する。